(57)【特許請求の範囲】
【請求項１】
表示部に階層型の入力メニューを表示する階層型メニュー表示装置であって、
第１の画面において第１及び第２の上位階層入力メニューを表示するとともに、当該第１の画面において前記第１及び第２の上位階層入力メニューの枠内に又は前記第１及び第２の上位階層入力メニューに近接させて前記第１及び第２の上位階層入力メニューに属する下位階層入力メニューを同時に表示し、
かつ、
前記第１又は前記第２の上位階層入力メニューのうちのいずれか一つの上位階層入力メニューが操作されると、当該操作された第１又は第２の上位階層入力メニューに属する複数の下位階層入力メニューを前記第１の画面とは別画面の第２の画面において表示し、
かつ、
前記第１の画面において前記第１及び第２の上位階層入力メニューの枠内に又は各上位階層入力メニューに近接して表示する前記下位階層入力メニューの数を、前記第２の画面で表示される下位階層入力メニューの数よりも少なくし、
これにより、前記第１の画面においては、ユーザーが前記第１及び第２の上位階層入力メニューに属する下位階層入力メニューを操作可能とされ、前記第２の画面においては、ユーザーが前記第１又は第２の上位階層入力メニューに属するより詳細な下位階層入力メニューを操作可能とされている、
ことを特徴とする階層型メニュー表示装置。
【請求項２】
前記第１及び第２の上位階層入力メニューの枠内に又は前記第１及び第２の上位階層入力メニューに近接して配置される前記下位階層入力メニューは、前記第１及び第２の上位階層入力メニューに属する複数の下位階層入力メニューのうち、操作履歴の新しい下位階層入力メニュー、又は、操作頻度の高い下位階層入力メニューである、
請求項１に記載の階層型メニュー表示装置。
【請求項３】
表示部に、生体情報と同時に階層型の入力メニューを表示する生体情報表示装置であっ
て、
第１の画面において第１及び第２の上位階層入力メニューを表示するとともに、当該第１の画面において前記第１及び第２の上位階層入力メニューの枠内に又は前記第１及び第２の上位階層入力メニューに近接させて前記第１及び第２の上位階層入力メニューに属する下位階層入力メニューを同時に表示し、
かつ、
前記第１又は前記第２の上位階層入力メニューのうちのいずれか一つの上位階層入力メニューが操作されると、当該操作された第１又は第２の上位階層入力メニューに属する複数の下位階層入力メニューを前記第１の画面とは別画面の第２の画面において表示し、
かつ、
前記第１の画面において前記第１及び第２の上位階層入力メニューの枠内に又は各上位階層入力メニューに近接して表示する前記下位階層入力メニューの数を、前記第２の画面で表示される下位階層入力メニューの数よりも少なくし、
これにより、前記第１の画面においては、ユーザーが前記第１及び第２の上位階層入力メニューに属する下位階層入力メニューを操作可能とされ、前記第２の画面においては、ユーザーが前記第１又は第２の上位階層入力メニューに属するより詳細な下位階層入力メニューを操作可能とされている、
ことを特徴とする生体情報表示装置。
【発明の詳細な説明】
【技術分野】
【０００１】
本発明は、表示部に階層型の入力メニューを表示する階層型メニュー表示装置及び生体情報表示装置に関する。
【背景技術】
【０００２】
従来、上位メニューから順次そのメニューに属する下位メニューを表示し、最下位に位置する機能メニューを選択して各種の設定を行うために、ディスプレイに階層型メニューを表示する階層型メニュー表示装置が広く用いられている。
【０００３】
ところで、近年のデジタル機器においては操作機器の画面上に表示するメニュー機能が複雑化し、その結果、メニュー階層が深くなると共に、同じメニュー階層内の選択肢も増加している。このため、深い階層にある所望のメニューを選択するには複雑なキー操作を何回も行わなければならない。
【０００４】
そこで従来、例えば特許文献１に開示されているように、ユーザー自身が良く使うメニューを登録してユーザーメニュー（ショートカットメニュー）を作成し、作成したユーザーメニューを表示させて目的の機能メニューを選択することにより、メニュー操作の回数を減らするようにしたものがある。
【０００５】
また、特許文献２には、登録した機能メニューの機能を分かり易くし、かつ、面倒な登録作業をせずにユーザーメニューを作成することが可能な階層型メニュー表示装置が提案されている。
【先行技術文献】
【特許文献】
【０００６】
【特許文献１】特開２００６−９９８０３号公報
【特許文献２】特開２００８−３０４９８４号公報
【発明の概要】
【発明が解決しようとする課題】
【０００７】
本発明は、目的の機能メニューを操作するまでの操作回数が少なく、かつ、上位階層入力メニューと下位階層入力メニューとの関係を直感的に分かり易く表示することにより、ユーザーが容易に機器の設定操作を行うことができる階層型メニュー表示装置及び生体情報表示装置を提供する。
【課題を解決するための手段】
【０００８】
本発明の階層型メニュー表示装置の一つの態様は、
表示部に階層型の入力メニューを表示する階層型メニュー表示装置であって、
第１の画面において第１及び第２の上位階層入力メニューを表示するとともに、当該第１の画面において前記第１及び第２の上位階層入力メニューの枠内に又は前記第１及び第２の上位階層入力メニューに近接させて前記第１及び第２の上位階層入力メニューに属する下位階層入力メニューを同時に表示し、
かつ、
前記第１又は前記第２の上位階層入力メニューのうちのいずれか一つの上位階層入力メニューが操作されると、当該操作された第１又は第２の上位階層入力メニューに属する複数の下位階層入力メニューを前記第１の画面とは別画面の第２の画面において表示し、
かつ、
前記第１の画面において前記第１及び第２の上位階層入力メニューの枠内に又は各上位階層入力メニューに近接して表示する前記下位階層入力メニューの数を、前記第２の画面で表示される下位階層入力メニューの数よりも少なくし、
これにより、前記第１の画面においては、ユーザーが前記第１及び第２の上位階層入力メニューに属する下位階層入力メニューを操作可能とされ、前記第２の画面においては、ユーザーが前記第１又は第２の上位階層入力メニューに属するより詳細な下位階層入力メニューを操作可能とされている。
【０００９】
本発明の生体情報表示装置の一つの態様は、
表示部に、生体情報と同時に階層型の入力メニューを表示する生体情報表示装置であっ
て、
第１の画面において第１及び第２の上位階層入力メニューを表示するとともに、当該第１の画面において前記第１及び第２の上位階層入力メニューの枠内に又は前記第１及び第２の上位階層入力メニューに近接させて前記第１及び第２の上位階層入力メニューに属する下位階層入力メニューを同時に表示し、
かつ、
前記第１又は前記第２の上位階層入力メニューのうちのいずれか一つの上位階層入力メニューが操作されると、当該操作された第１又は第２の上位階層入力メニューに属する複数の下位階層入力メニューを前記第１の画面とは別画面の第２の画面において表示し、
かつ、
前記第１の画面において前記第１及び第２の上位階層入力メニューの枠内に又は各上位階層入力メニューに近接して表示する前記下位階層入力メニューの数を、前記第２の画面で表示される下位階層入力メニューの数よりも少なくし、
これにより、前記第１の画面においては、ユーザーが前記第１及び第２の上位階層入力メニューに属する下位階層入力メニューを操作可能とされ、前記第２の画面においては、ユーザーが前記第１又は第２の上位階層入力メニューに属するより詳細な下位階層入力メニューを操作可能とされている。
【発明の効果】
【００１０】
本発明によれば、目的の機能メニューを操作するまでの操作回数が少なく、かつ、上位階層入力メニューと下位階層入力メニューとの関係を直感的に分かり易く表示でき、ユーザーが容易に機器の設定操作を行うことができる。
【図面の簡単な説明】
【００１１】
【図１】本発明の階層型メニュー表示装置を適用した生体情報モニターの全体構成を示すブロック図
【図２】メイン設定画面を示す図
【図３】「アラーム」の下位階層入力画面を示す図
【図４】「アラーム」の基本設定画面を示す図
【図５】「データレビュー」の下位階層入力画面を示す図
【図６】ＮＩＢＰデータを含むデータリスト画面を示す図
【発明を実施するための形態】
【００１２】
以下、本発明の実施の形態について、図面を参照して詳細に説明する。
【００１３】
図１は、本発明の階層型メニュー表示装置を適用した生体情報モニター１００の全体構成を示すブロック図である。図１において、本発明の階層型メニュー表示装置は、表示部１０１及び表示制御部１０２として具現化されている。
【００１４】
生体情報モニター１００は、コネクタ部１１０を介して、心電図を検出するための心電電極１１１、血圧を検出するための血圧測定用カフ１１２、体温を検出するための体温センサ１１３、ＳｐＯ２を検出するためのＳｐＯ２センサ１１４、及び心拍出量を検出するための心拍出量センサ１１５などの生体情報検出部が接続されている。コネクタ部１１０は、生体情報検出部と計測処理部１０４との間のインタフェースとして機能する。
【００１５】
計測処理部１０４は、記憶部１０５に記憶されたプログラムを実行することで、所定の計測処理を実行する。この計測処理によって、計測処理部１０４は、コネクタ部１１０に接続された生体情報検出部（心電電極１１１、血圧測定用カフ１１２、体温センサ１１３、ＳｐＯ２センサ１１４及び心拍出量センサ１１５）を用いて患者の生体情報を計測する。なお、上記生体情報検出部を用いた各種生体情報の計測方法については従来周知のものを適用可能であるため、ここではその詳細な説明を省略する。また、計測処理部１０４は、過去に計測した生体情報を記憶部１０５に記憶させる動作、及び、記憶部１０５に記憶されている生体情報を読み出す動作を行うことができるようになっている。
【００１６】
また、計測処理部１０４によって得られた生体情報は、表示制御部１０２を介して表示部１０１に計測値又は波形の形式で表示される。さらに、計測処理部１０４は、計測した生体情報のアラーム判定を行い、判定の結果に応じてアラームインジケータ１０６を制御する。
【００１７】
表示部１０１は、例えばタッチパネル付き液晶表示器であり、生体情報を表示する表示機能を有するだけでなく、ユーザーによる入力操作を受け付ける入力部としての機能も有する。具体的には、ユーザーによる表示部１０１のタッチ操作によって、表示制御部１０２による表示部１０１の表示や計測処理部１０４の処理が変更される。
【００１８】
図２−図６は、表示部１０１に表示される本実施の形態による階層型の入力メニューを示す。表示部１０１への階層型入力メニューの表示は、表示制御部１０２が、記憶部１０３に記憶された階層型入力メニューを、表示部１０１のタッチ操作に応じて適宜読み出すことで行われる。
【００１９】
図２は、メインの設定画面であり、画面中央にメインメニューが表示される。図２の例では、メインメニューとして、「患者入退床」、「アラーム」、「パラメータ」、「データレビュー」、「共通設定」、「床別設定」の上位階層入力メニューが表示されている。なお、本明細書における入力メニューは、操作子と言い換えてもよい。
【００２０】
各上位階層入力メニューは枠で囲われ、その枠内には各上位階層入力メニューに対応する下位階層入力メニューが表示される。図の例では、上位階層入力メニューである「患者入退床」の枠内には下位階層入力メニューである「入床」、「退床」が表示されている。上位階層入力メニューである「アラーム」の枠内には下位階層入力メニューである「基本」が表示されている。上位階層入力メニューである「データレビュー」の枠内には下位階層入力メニューである「ＮＩＢＰリスト」、「リスト」が表示されている。上位階層入力メニューである「共通設定」の枠内には下位階層入力メニューである「音」が表示されている。
【００２１】
上位階層入力メニューの枠内のうち、下位階層入力メニューの枠内を除く領域がタッチ操作されると、上位階層入力メニューに属する複数の下位階層入力メニューが別画面で表示される。図２の例では、上位階層入力メニューの枠内の濃い網掛け領域が上位階層入力メニューの感応領域となっており、その濃い網掛け領域がタッチ操作されると、上位階層入力メニューに属する複数の下位階層入力メニューが別画面で表示される。
【００２２】
例えば、上位階層入力メニューである「アラーム」の枠内の上位階層入力メニュー感応領域がタッチ操作されると、図３に示すように、上位階層入力メニューである「アラーム」に属する複数の下位階層入力メニュー（「基本」、「循環」、「ＮＩＢＰ」、「呼吸・ＣＯ２」、「不整脈」、「ＳＴ」、「一覧」、「詳細設定」）が表示される。そして、下位階層入力メニューのいずれかの枠内がタッチ操作されると、その下位階層入力メニューに対応した設定画面が表示される。図３の画面において、例えば「基本」の枠内がタッチ操作されると、図４に示すように、アラームの基本設定を行うための画面が表示される。ユーザーは、図４の画面を操作することでアラームの基本設定を行うことができる。
【００２３】
また、図２の画面において、例えば上位階層入力メニューである「データレビュー」の枠内の上位階層入力メニュー感応領域がタッチ操作されると、図５に示すように、上位階層入力メニューである「データレビュー」に属する複数の下位階層入力メニュー（「トレンド」、「リスト」、「リコール」、「ＮＩＢＰリスト」、「ＳＴ」）が表示される。そして、下位階層入力メニューのいずれかの枠内がタッチ操作されると、その下位階層入力メニューに対応した画面が表示される。図５の画面において、例えば「ＮＩＢＰリスト」の枠内がタッチ操作されると、図６に示すように、ＮＩＢＰデータを含むデータリスト画面が表示される。
【００２４】
ちなみに、図２−図６から分かるように、画面の中央に表示された階層型入力メニューの上方には、心電図及び心拍数（ＨＲ）などの生体情報のうちでも患者の生命にとって重要な生体情報がリアルタイム表示されている。これにより、ユーザーは階層型入力メニューを用いた設定操作を行っている間も、患者の容体の急変などを認識できる。また、階層型入力メニューの下方には、階層型メニューとは別個に、使用頻度の高い、或いは、緊急の入力操作が要求される、入力メニュー（「メニュー」、「入床」、「中断」、「計測値拡大縮小」、………）が並んで表示されている。
【００２５】
さらに、画面の中央に表示された階層型入力メニューの左側方には、上向きの矢印「↑」の操作子が表示されており、ユーザーがこの操作子をタッチ操作すると、現在表示されている階層型メニューよりも１つ上位の階層型メニューが表示される。例えば、図４の上向きの矢印「↑」がタッチ操作されると、それよりも１つ上位の階層型メニュー画像である図３の画像が表示され、図３の上向きの矢印「↑」がタッチ操作されると、それよりも１つ上位の階層型メニュー画像である図２の画像が表示される。
【００２６】
図２は、本実施の形態による階層型メニュー表示の特徴を最も良く表したものなので、以下図２を用いて本実施の形態の特徴について説明する。
【００２７】
本実施の形態では、複数の上位階層入力メニュー（「患者入退床」、「アラーム」、「パラメータ」、「データレビュー」、「共通設定」、「床別設定」）を同一画面に並べて表示する。また、上位階層入力メニューの枠内には、上位階層入力メニューが操作されたときに別画面で表示される複数の下位階層入力メニューの数よりも少ない数の下位階層入力メニューが表示される。例えば、図２において、上位階層入力メニューである「アラーム」をタッチ操作すると、図３に示すように別画面で８個の下位階層入力メニュー（「基本」、「循環」、「ＮＩＢＰ」、「呼吸・ＣＯ２」、「不整脈」、「ＳＴ」、「一覧」、「詳細設定」）が表示されるのに対して、図２の「アラーム」の枠内に表示されるのは１個の下位階層入力メニュー（「基本」）である。また、例えば、図２において、上位階層入力メニューである「データレビュー」をタッチ操作すると、図５に示すように別画面で５個の下位階層入力メニュー（「トレンド」、「リスト」、「リコール」、「ＮＩＢＰリスト」、「ＳＴ」）が表示されるのに対して、図２の「データレビュー」の枠内に表示されるのは２個の下位階層入力メニュー（「ＮＩＢＰリスト」、「リスト」）である。
【００２８】
ただし、全ての上位階層入力メニューについて、その枠内に配置される下位階層入力メニューの数が、上位階層入力メニューが操作されたときに別画面で表示される複数の下位階層入力メニューの数よりも少なくなくてもよい。例えば、上位階層入力メニューである「患者入退床」については、その枠内に配置される下位階層入力メニューは「入床」、「退床」の２つであり、「患者入退床」が操作されたときに別画面で表示される下位階層入力メニューも「入床」、「退床」の２つである。要は、少なくとも１つの上位階層入力メニューについて、その枠内に配置される下位階層入力メニューの数が、上位階層入力メニューが操作されたときに別画面で表示される複数の下位階層入力メニューの数よりも少なければよい。
【００２９】
ここで、上位階層入力メニューの枠内に、どの下位階層入力メニューを表示されるかについては、操作履歴の新しい下位階層入力メニュー、又は、操作頻度の高い下位階層入力メニューを表示するとよい。例えば、上位階層入力メニューである「データレビュー」の枠内に表示されている「ＮＩＢＰリスト」は前回に操作された下位階層入力メニューであり、その下に表示されている「リスト」は前々回に操作された下位階層入力メニューである。このような制御は、記憶部１０３に下位階層入力メニューの操作履歴や操作頻度を記憶しておくことで実現できる。
【００３０】
以上説明したように、本実施の形態によれば、上位階層入力メニューが操作されると当該上位階層入力メニューに属する複数の下位階層入力メニュー画面を切り替えて別画面で表示し、かつ、上位階層入力メニューの枠内に下位階層入力メニューを表示し、かつ、上位階層入力メニューの枠内に配置される下位階層入力メニューの数を上位階層入力メニューが操作されたときに別画面で表示される複数の下位階層入力メニューの数よりも少なくしたことにより、目的の機能メニューを操作するまでの操作回数が少なく、かつ、上位階層入力メニューと下位階層入力メニューとの関係を直感的に分かり易く表示するができ、この結果、ユーザーが容易に機器の設定操作を行うことができる階層型メニュー表示装置を実現できる。
【００３１】
本実施の形態によれば、同一画面において、上位階層入力メニューを操作することもでき、下位階層入力メニューを操作することもできる。また、上位階層入力メニューと下位階層入力メニューとの関係も一画面上で容易に見ることができる。
【００３２】
特に、上述した階層型メニューの表示方法を、心電図などの生体情報を表示する生体情報モニターや心電計などの生体情報表示装置に適用すれば、リアルタイムで表示されている重要な生体情報を隠さずに、階層型の入力メニューを表示できるようになるので、好適である。つまり、上位階層入力メニューをクリック操作したときに、当該上位階層入力メニューと同一画面に当該上位階層入力メニューに属する全ての下位階層入力メニューを表示領域を拡大して表示するような従来の表示方法では、下位階層入力メニューの拡大表示領域によって生体情報が隠れてしまうおそれがある。これに対して、上述した実施の形態の階層型メニュー表示方法では、図２に示したように、生体情報と同一画面に、上位階層入力メニューに加えて、最小限の下位階層入力メニューを固定した位置に表示する。そして、上位階層入力メニューが操作されると、当該上位階層入力メニューに属する複数の下位階層入力メニューを画面を切り替えて別画面で表示する。よって、生体情報が隠されることがない。
【００３３】
なお、上述の実施の形態では、図２に示したように、上位階層入力メニューの枠内に下位階層入力メニューを表示した場合について述べたが、これに限らず、上位階層入力メニューに近接して下位階層入力メニューを表示してもよい。要は、上位階層入力メニューとそれに属する下位階層入力メニューとの対応を容易に把握できるように、上位階層入力メニューとそれに属する下位階層入力メニューとを表示すればよい。
【００３４】
また、上述の実施の形態では、表示部１０１がタッチパネル付き液晶表示器である場合について述べたが、表示部１０１がタッチパネルを有さずに入力操作をマウスやキーボードで行う場合にも適用でき、この場合にも上述の実施の形態と同様の効果を得ることができる。
【００３５】
また、上述の実施の形態では、本発明の階層型メニュー表示装置を生体情報モニター１００に適用した場合について述べたが、本発明はこれに限らず、表示部に階層型の入力メニューを表示する電子機器に広く適用可能である。
【００３６】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００３７】
本発明の階層型メニュー表示装置は、表示部に階層型の入力メニューを表示する電子機器に広く適用可能である。
【符号の説明】
【００３８】
１００  生体情報モニター
１０１  表示部
１０２  表示制御部
１０３、１０５  記憶部
１０４  計測処理部
【図１】
0006555800.tif 000002
【図２】
0006555800.tif 000003
【図３】
0006555800.tif 000004
【図４】
0006555800.tif 000005
【図５】
0006555800.tif 000006
【図６】
0006555800.tif 000007